(57)【要約】【課題】撮像素子の領域毎にオフセットが異なる場合でも、精度よく黒レベルの補正を行うことができる撮像装置を提供する。【解決手段】複数の画素領域であって、それぞれの画素領域が、光電変換素子を有する画素が２次元に配列された有効画素部と、遮光された第１のオプティカルブラック部とを有して構成されている複数の画素領域と、少なくとも１つの第２のオプティカルブラック部と、第２のオプティカルブラック部の信号を用いて、有効画素部の信号と、第１のオプティカルブラック部の信号を補正する第１の補正部と、第１の補正部により補正された第１のオプティカルブラック部の信号を用いて、第１の補正部により補正された有効画素部の信号をさらに補正する第２の補正部とを備える。【選択図】  図５
2020145555.tif 000002
【特許請求の範囲】
【請求項１】
複数の画素領域であって、それぞれの画素領域が、光電変換素子を有する画素が２次元に配列された有効画素部と、遮光された第１のオプティカルブラック部とを有して構成されている複数の画素領域と、
少なくとも１つの第２のオプティカルブラック部と、
前記第２のオプティカルブラック部の信号を用いて、前記有効画素部の信号と、前記第１のオプティカルブラック部の信号を補正する第１の補正手段と、
前記第１の補正手段により補正された前記第１のオプティカルブラック部の信号を用いて、前記第１の補正手段により補正された前記有効画素部の信号をさらに補正する第２の補正手段と、
を備えることを特徴とする撮像装置。
【請求項２】
前記画素領域は、前記有効画素部と前記第１のオプティカルブラック部が一対になって構成されていることを特徴とする請求項１に記載の撮像装置。
【請求項３】
前記第２のオプティカルブラック部は、前記複数の画素領域に共通に設けられていることを特徴とする請求項１または２に記載の撮像装置。
【請求項４】
前記第２のオプティカルブラック部は、前記複数の画素領域に共通に１つ設けられていることを特徴とする請求項３に記載の撮像装置。
【請求項５】
前記第２のオプティカルブラック部は、前記画素領域の列オフセットを補正する補正値を出力することを特徴とする請求項１乃至４のいずれか１項に記載の撮像装置。
【請求項６】
前記第１及び第２のオプティカルブラック部は、前記画素領域の行方向に長く配置されていることを特徴とする請求項１乃至５のいずれか１項に記載の撮像装置。
【請求項７】
前記第１の補正手段は、前記第２のオプティカルブラック部の複数行の信号を平均した信号を前記第１のオプティカルブラック部の信号から減算することにより、前記第１のオプティカルブラック部の信号を補正することを特徴とする請求項１乃至６のいずれか１項に記載の撮像装置。
【請求項８】
前記第１の補正手段は、前記第２のオプティカルブラック部の複数行の信号を平均した信号を前記有効画素部の信号から減算することにより、前記有効画素部の信号を補正することを特徴とする請求項１乃至７のいずれか１項に記載の撮像装置。
【請求項９】
前記第２の補正手段は、前記第１のオプティカルブラック部の複数行の信号を平均した信号を前記有効画素部の信号から減算することにより、前記有効画素部の信号を補正することを特徴とする請求項１乃至８のいずれか１項に記載の撮像装置。
【請求項１０】
前記第２のオプティカルブラック部は、遮光された光電変換素子を有することを特徴とする請求項１乃至９のいずれか１項に記載の撮像装置。
【請求項１１】
前記第２のオプティカルブラック部は、光電変換素子を持たないＮＵＬＬ画素を有することを特徴とする請求項１乃至９のいずれか１項に記載の撮像装置。
【請求項１２】
前記複数の画素領域に異なるゲインが適用される場合、前記第２のオプティカルブラック部は、前記異なるゲインに対応する複数の信号を出力することを特徴とする請求項１乃至１１のいずれか１項に記載の撮像装置。
【請求項１３】
複数の画素領域であって、それぞれの画素領域が、光電変換素子を有する画素が２次元に配列された有効画素部と、遮光された第１のオプティカルブラック部とを有して構成されている複数の画素領域と、少なくとも１つの第２のオプティカルブラック部とを備える撮像装置を制御する方法であって、
前記第２のオプティカルブラック部の信号を用いて、前記有効画素部の信号と、前記第１のオプティカルブラック部の信号を補正する第１の補正工程と、
前記第１の補正工程において補正された前記第１のオプティカルブラック部の信号を用いて、前記第１の補正工程において補正された前記有効画素部の信号をさらに補正する第２の補正工程と、
を有することを特徴とする撮像装置の制御方法。
【請求項１４】
請求項１３に記載の制御方法の各工程をコンピュータに実行させるためのプログラム。
【請求項１５】
請求項１３に記載の制御方法の各工程をコンピュータに実行させるためのプログラムを記憶したコンピュータが読み取り可能な記憶媒体。
【発明の詳細な説明】
【技術分野】
【０００１】
本発明は、撮像装置における撮像素子のノイズ低減技術に関するものである。
【背景技術】
【０００２】
従来、ＣＣＤやＣＭＯＳイメージセンサ等の撮像素子の黒レベルには主に下記２つのオフセット成分が存在する。
【０００３】
１つ目はアンプとＡ／Ｄ変換部などの列回路に起因するオフセット成分であり、これは縦縞状の固定オフセットとして現れる。このようなオフセット成分を抑制する対策として、特許文献１では、列毎のオフセット成分をそれぞれ記憶し、補正する手法が提案されている。
【０００４】
２つ目は画素部に起因するオフセット成分であり、これは、主に暗電流によるオフセットである。このようなオフセット成分を抑制する対策として、特許文献２では、オプティカルブラック領域の複数のブロックの信号を平均し、その平均値を用いてオフセット補正値を算出し、暗電流によるオフセットを補正する手法が提案されている。
【先行技術文献】
【特許文献】
【０００５】
【特許文献１】特開２００９−１８８４３７号公報
【特許文献２】特開２００６−３０３９５３号公報
【発明の概要】
【発明が解決しようとする課題】
【０００６】
しかしながら、撮像素子内に温度勾配がある場合、または撮像素子の領域毎に露光量を変えた場合に、撮像素子の領域毎にオフセットが変わる。このようなオフセットの領域毎の変動に対して、上述の特許文献１及び特許文献２に開示された従来技術では、正しくオフセットの補正を行うことができないという問題がある。
【０００７】
本発明は上述した課題に鑑みてなされたものであり、その目的は、撮像素子の領域毎にオフセットが異なる場合でも、精度よく黒レベルの補正を行うことができる撮像装置を提供することである。
【課題を解決するための手段】
【０００８】
本発明に係わる撮像装置は、複数の画素領域であって、それぞれの画素領域が、光電変換素子を有する画素が２次元に配列された有効画素部と、遮光された第１のオプティカルブラック部とを有して構成されている複数の画素領域と、少なくとも１つの第２のオプティカルブラック部と、前記第２のオプティカルブラック部の信号を用いて、前記有効画素部の信号と、前記第１のオプティカルブラック部の信号を補正する第１の補正手段と、前記第１の補正手段により補正された前記第１のオプティカルブラック部の信号を用いて、前記第１の補正手段により補正された前記有効画素部の信号をさらに補正する第２の補正手段と、を備えることを特徴とする。
【発明の効果】
【０００９】
本発明によれば、撮像素子の領域毎にオフセットが異なる場合でも、精度よく黒レベルの補正を行うことが可能となる。
【図面の簡単な説明】
【００１０】
【図１】本発明の撮像装置の一実施形態であるデジタルカメラの側面図。
【図２】焦点検出光学系の構成を模式的に示した斜視図。
【図３】焦点検出光学系の構成を模式的に示した斜視図。
【図４】焦点検出光学系の構成を模式的に示した斜視図。
【図５】焦点検出センサにおける結像エリアを示した図。
【図６】一実施形態におけるデジタルカメラの動作を示すフローチャート。
【図７】一実施形態における焦点検出センサの蓄積動作を示すフローチャート。
【発明を実施するための形態】
【００１１】
以下、添付図面を参照して実施形態を詳しく説明する。尚、以下の実施形態は特許請求の範囲に係る発明を限定するものではない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１２】
図１は、本発明の撮像装置の一実施形態であるデジタルカメラの側面図である。
【００１３】
図１において、デジタルカメラ１００は、カメラ本体１０１と、レンズ（撮影レンズ）１５０とを備える。なお、図１では、説明を分かりやすくするために内部の構成が透視して示されている。カメラ本体１０１は、ＣＰＵ１０２、メモリ１０３、撮像素子１０４、シャッター１０５、ハーフミラー１０６、ピント板１０７、測光センサ１０８、ペンタプリズム１０９、光学ファインダー１１０、サブミラー１１１を備える。さらに、カメラ本体１０１は、視野マスク１１２、赤外カットフィルタ１１３、フィールドレンズ１１４、絞り１１５、二次結像レンズ１１６、焦点検出センサ（焦点検出用センサ）１１７を有する焦点検出部１２０を備える。レンズ１５０は、ＬＰＵ１５１、レンズ群１５２を備える。
【００１４】
ＣＰＵ１０２は、マイクロコンピュータからなり、カメラ本体１０１における各制御を行う。メモリ１０３は、ＣＰＵ１０２に接続されたＲＡＭやＲＯＭ等のメモリであり、ＣＰＵ１０２によって実行されるプログラムや各データを格納する。撮像素子１０４は、赤外カットフィルタやローパスフィルタ等を含むＣＣＤやＣＭＯＳセンサ等からなり、レンズ１５０から入射した光が被写体像として結像される。シャッター１０５は、開閉駆動可能であり、非撮影時には閉じて撮像素子１０４を遮光し、撮影時には開いて撮像素子１０４を露光させる。ハーフミラー１０６は、非撮影時にレンズ１５０から入射した光の一部を反射してピント板１０７に結像させる。測光センサ１０８は、ＣＣＤやＣＭＯＳセンサ等の撮像素子を備え、測光演算、顔検出演算、追跡演算、及び光源検知等の被写体認識処理を行う。ペンタプリズム１０９は、ピント板１０７を通過した光を測光センサ１０８及び光学ファインダー１１０に向けて反射させる。
【００１５】
また、ハーフミラー１０６は、レンズ１５０から入射した光の一部を透過させる。透過された光は、後方のサブミラー１１１で下方へ曲げられて、視野マスク１１２、赤外カットフィルタ１１３、フィールドレンズ１１４、絞り１１５、二次結像レンズ１１６を経て光電変換素子が２次元状に配列された焦点検出センサ１１７上に結像される。焦点検出部１２０は、この像を光電変換して得られる画像信号に基づいて、レンズ１５０の焦点状態を検出する。
【００１６】
ＬＰＵ１５１は、マイクロコンピュータからなり、レンズ１５０におけるレンズ群１５２を移動させる制御を行う。例えば、ＬＰＵ１５１は、ピントのずれ量を示すデフォーカス量をＣＰＵ１０２から受信すると、そのデフォーカス量に基づいてレンズ群１５２をピントが合う位置（以下、「フォーカシング位置」という）に移動させる。
【００１７】
図２乃至図４は、焦点検出の原理を概念的に説明する図である。
【００１８】
図２において、中央の被写体ＯＢＪ（Ｃｅｎｔｅｒ）からの光束２０１ａ及び２０１ｂは、レンズ１５０の瞳３０１ａ及び３０１ｂを通過して、視野マスク１１２近傍のピント面Ｐ（Ｃｅｎｔｅｒ）（一次結像面）で結像する。光束２０１ａ及び２０１ｂを２次結像レンズ４０１ａ及び４０１ｂで分割し、焦点検出センサ１１７の結像エリア５０１ａ及び５０１ｂに再結像させ、その左右２つの被写体像を相関演算することにより、デフォーカス量を求める。
【００１９】
同様に、光束２０２ａ及び２０２ｂは、レンズ１５０の瞳３０２ａ及び３０２ｂを通過して視野マスク１１２近傍のピント面Ｐ（Ｃｅｎｔｅｒ）（一次結像面）で結像する。光束２０２ａ及び２０２ｂを２次結像レンズ４０２ａ及び４０２ｂで分割し、焦点検出センサ１１７の結像エリア５０２ａ及び５０２ｂに再結像させ、その上下２つの被写体像を相関演算することでデフォーカス量を求める。
【００２０】
図３は左の被写体ＯＢＪ（Ｌｅｆｔ）、図４は右の被写体ＯＢＪ（Ｒｉｇｈｔ）を検知するときの概念図を表している。図２と同様に結像し、結像エリア５１１ａ及び５１１ｂ、結像エリア５２１ａ及び５２１ｂ、結像エリア５１２ａ及び５１２ｂ、結像エリア５２２ａ及び５２２ｂにそれぞれ再結像している。
【００２１】
図５は、焦点検出センサ１１７と各結像エリアの対応関係をまとめた図である。図５では、説明を分かりやすくするために、図２〜図４に示す焦点検出センサ１１７を、右９０度回転して表示している。なお、以下の説明では、横方向、行方向、左右方向、水平方向、縦方向、列方向、上下方向、垂直方向という表現を用いた場合、図５での焦点検出センサ１１７の方向を基準とするものとする。つまり、行方向、左右方向、水平方向と表現した場合は図５の横方向を意味し、列方向、上下方向、垂直方向と表現した場合は図５の縦方向を意味するものとする。
【００２２】
図５において、焦点検出センサ１１７は、画素部１１７ａと、画素部１１７ａに配置された画素の行（図中横一行の画素行）を上下方向に順番に選択する垂直走査回路１１７ｂと、横一行の画素行から読み出され、縦方向に転送された信号をＡＤ変換する列ＡＤ変換器１１７ｃとを備える。すなわち、本実施形態では、図中横一行ごとの信号が縦方向に転送されて信号の読み出しが行われる。この行方向（焦点検出センサ１１７の短手方向）を、本実施形態では読み出し行方向と呼ぶことにする。各行の画素の信号は、信号線により垂直方向に転送されて列ＡＤ変換器１１７ｃに入力される。この垂直方向（焦点検出センサ１１７の長手方向）を、本実施形態では読み出し方向と呼ぶことにする。
【００２３】
ここで、焦点検出センサ１１７は領域ごとに電荷の蓄積時間を変更可能であり、且つ、読み出し行の順を任意に変更可能である。そして、焦点検出センサ１１７の領域Ｒ１は、列ＡＤ変換器１１７ｃなどの列回路に起因するオフセット（列オフセット）を補正するためのオプティカルブラック部ＯＢ０１と、画素に起因するオフセットを補正するためのオプティカルブラック部ＯＢ１とを有する。同様に、領域Ｒ２は、列回路に起因するオフセットを補正するためのオプティカルブラック部ＯＢ０２と、画素に起因するオフセットを補正するためのオプティカルブラック部ＯＢ２とを有する。そして、領域Ｒ３は、画素に起因するオフセットを補正するためのオプティカルブラック部ＯＢ３を有する。このように、領域Ｒ１，Ｒ２，Ｒ３には、有効画素部とオプティカルブラック部ＯＢ１，ＯＢ２，ＯＢ３とが一対となるように配置されている。
【００２４】
オプティカルブラック部ＯＢ０１とＯＢ１の蓄積時間は領域Ｒ１の蓄積時間と一致し、オプティカルブラック部ＯＢ０２とＯＢ２の蓄積時間は領域Ｒ２の蓄積時間と一致し、オプティカルブラック部ＯＢ３の蓄積時間は領域Ｒ３の蓄積時間と一致する。なお、オプティカルブラック部ＯＢ０１，ＯＢ０２は、後述するように領域Ｒ１〜Ｒ３に共通に使用できるため、ＯＢ０１又はＯＢ０２の一方のみを備えるようにしてもよい。
【００２５】
次に、図６は、デジタルカメラ１００によって実行される撮像制御処理の手順を示すフローチャートである。図６の処理は、ＣＰＵ１０２がメモリ１０３に格納されたプログラムを実行することによって行われ、デジタルカメラ１００が起動されている場合を前提とする。
【００２６】
図６において、まず、ＣＰＵ１０２は、撮影を指示するシャッタスイッチの半押し（スイッチＳＷ１のオン）がユーザーによって行われたか否かを判定する。スイッチＳＷ１がオンされている場合は、Ｓ１０２に進み、スイッチＳＷ１がオンされていなければ、そのまま待機する。
【００２７】
Ｓ１０２では、ＣＰＵ１０２は、焦点検出センサ１１７を制御して位相差方式の焦点検出処理を行い、算出したデフォーカス量をＬＰＵ１５１に送信する。ＬＰＵ１５１は、受信したデフォーカス量に基づいてレンズ群１５２をフォーカシング位置に移動させる。なお、ＡＦ処理の詳細は図７のフローチャートを用いて後述する。
【００２８】
Ｓ１０３では、ＣＰＵ１０２は、測光センサ１０８を制御して、定常光における被写体の輝度情報を含む測光値（以下、「定常光における測光値」）を取得する。また、この定常光における測光値に基づいて撮影時の絞り値やＩＳＯ感度等の露出制御値を決定する。
【００２９】
Ｓ１０４では、ＣＰＵ１０２は、シャッタスイッチの全押し（スイッチＳＷ２のオン）がユーザーによって行われたか否かを判定する。スイッチＳＷ２がオンされている場合にはＳ１０５に進み、スイッチＳＷ２がオンされていなければＳ２０１に戻る。
【００３０】
Ｓ１０５では、ＣＰＵ１０２は本撮影を行い、本フローチャートの処理を終了する。以上が、本実施形態のデジタルカメラ１００の全体動作である。
【００３１】
図７は、図６のＳ１０２におけるＡＦ処理の手順を示すフローチャートである。
【００３２】
Ｓ２０１では、ＣＰＵ１０２は、制御パラメータである焦点検出センサ１１７の露光量を決定する。焦点検出センサ１１７の露光量は、初回は任意の露光量とする。２回目以降は、前回の露光量と輝度値より、適正露出となる露光量を決定する。なお、本実施形態の焦点検出センサ１１７では、領域Ｒ１，Ｒ２，Ｒ３に対して、それぞれ異なる蓄積時間及びゲインを設定できる構成とする。
【００３３】
Ｓ２０２では、ＣＰＵ１０２は、Ｓ２０１で決定した露光量により焦点検出センサ１１７に電荷の蓄積を行わせる。Ｓ２０３では、ＣＰＵ１０２は、Ｓ２０２で蓄積された画像信号を焦点検出センサ１１７から読み出す。Ｓ２０４では、ＣＰＵ１０２は、Ｓ２０３で読み出した信号に対して黒レベル補正を行う。この補正の詳細については後述する。
【００３４】
Ｓ２０５では、ＣＰＵ１０２は、Ｓ２０４で得られた結像領域毎の黒レベル補正後の画素信号からデフォーカス量を算出する。対となる結像エリアの同一行の画素出力から対となる信号像を得る。そして、対となる信号像の位相差から、レンズ１５０の焦点状態（デフォーカス量）を算出する。デフォーカス量の算出結果は、平均や重みづけ平均するなどして最終結果とする。あるいは、結像エリア内の複数行についてそれぞれデフォーカス量を求め、いずれかのデフォーカス量を選択する。選択方法に特に制限はないが、像信号の波形の相関性が高い、コントラストが高いといった、デフォーカス量の信頼度が高いと考えられる一つを選択することができる。
【００３５】
Ｓ２０６では、ＣＰＵ１０２は、Ｓ２０５で算出されたデフォーカス量が合焦とみなせる所定の範囲内か否かを判定する。例えば、デフォーカス量が１／４Ｆδ以内（Ｆ：レンズの絞り値、δ：定数（２０μｍ））であれば合焦と判断する。具体的には、レンズの絞り値Ｆ＝２．０であれば、デフォーカス量が１０μｍ以下なら合焦と判断する。Ｓ２０６で合焦と判定された場合には、本フローチャートのＡＦ処理を終了する。
【００３６】
一方、Ｓ２０６において、いずれのデフォーカス量も１／４Ｆδより大きいならば、Ｓ２０７に進み、ＣＰＵ１０２は、Ｓ２０６で求めた焦点検出領域ごとのデフォーカス量の１つに対応する量のレンズ駆動をレンズ群１５２に指示する。そして、ＣＰＵ１０２は処理をＳ２０１に戻し、合焦状態と判断されるまでＳ２０１〜Ｓ２０７の動作を繰り返す。なお、Ｓ２０５でのデフォーカス量の選択方法に制限はないが、例えば最も近い距離の被写体に対応する焦点検出領域のデフォーカス量を選択すればよい。
【００３７】
次に、黒レベル補正について説明する。黒レベルは列ＡＤ変換器１１７ｃなどの列回路に起因する図５における縦縞状の列毎オフセット成分と、画素に起因する領域毎に変わる領域毎オフセット成分に分けられる。
【００３８】
まず、列毎オフセット成分の補正について説明する。列毎オフセット成分は、オプティカルブラック部ＯＢ０１，ＯＢ０２の少なくとも一方を用いて補正される。列毎オフセット成分の補正では、領域Ｒ１，Ｒ２，Ｒ３の露光時間に関係なく、オプティカルブラック部ＯＢ０１又はＯＢ０２の信号を領域Ｒ１，Ｒ２，Ｒ３に共通して用いることができる。そのため、初めにオプティカルブラック部ＯＢ０１の信号を読み出し、読み出しと同時に列毎に複数行の平均値を算出する。この平均値を列毎オフセット補正値として、領域Ｒ１，Ｒ２，Ｒ３から減算するとともに、領域Ｒ１，Ｒ２，Ｒ３に対応するオプティカルブラック部ＯＢ１，ＯＢ２，ＯＢ３の信号からも減算し、補正する。なお、焦点検出センサ１１７の全体についての画素信号の読み出しの順番は、オプティカルブラック部ＯＢ０１、オプティカルブラック部ＯＢ１、領域Ｒ１、オプティカルブラック部ＯＢ２、領域Ｒ２、オプティカルブラック部ＯＢ３、領域Ｒ３の順となる。オプティカルブラック部ＯＢ０２は、必要に応じて用いればよい。
【００３９】
なお、オプティカルブラック部ＯＢ０１（ＯＢ０２）を、受光部（フォトダイオード）が存在しないＮＵＬＬ画素としてもよい。ＮＵＬＬ画素領域は受光部が存在しないため、露光時間によらず列アンプの特性のみを出力可能である。オプティカルブラック部ＯＢ０１又はＯＢ０２を焦点検出センサ１１７の端ではなく結像領域の間とすることにより、焦点検出センサ１１７の長手方向の面積を小さくできるため、小型化が可能となる。
【００４０】
次に、領域毎オフセット成分はオプティカルブラック部ＯＢ１，ＯＢ２，ＯＢ３の信号を用いて補正する。
【００４１】
すでに上記で説明したように、領域Ｒ１の信号の読み出しの前に、オプティカルブラック部ＯＢ１の信号を読み出す。読出しと同時に、オプティカルブラック部ＯＢ１の複数行の信号平均値を算出する。この平均値から前述した列毎オフセット補正値を減算し、領域Ｒ１用のオフセット補正値とする。次に読み出される領域Ｒ１の画素信号からこのオフセット補正値を減算する。オプティカルブラック部ＯＢ２，ＯＢ３についても同様にオフセット補正値を算出し、領域Ｒ２，Ｒ３の信号をそれぞれ補正する。上記手法により、黒レベルを精度よく補正することができる。
【００４２】
なお、領域Ｒ１，Ｒ２，Ｒ３のそれぞれで列アンプのゲインを変える場合、縦縞状の固定オフセット成分も領域毎に変わる。その場合、まずオプティカルブラック部ＯＢ０１の画素の信号を読み出し、列毎オフセット補正値を算出する。この補正値をオプティカルブラック部ＯＢ１、領域Ｒ１に適用する。次に、ゲインを変えたオプティカルブラック部ＯＢ０１の画素の信号を再度読み出し、列毎オフセット補正値を再算出する。そして、その補正値をオプティカルブラック部ＯＢ２、領域Ｒ２に適用する。領域Ｒ３も同様に処理する。この手法により、領域毎に列アンプのゲインを変える場合にも適応可能となる。なお、本実施形態では、オプティカルブラック部ＯＢ０１，ＯＢ０２を領域Ｒ１と領域Ｒ２の両方に設けているため、列毎オフセット補正には、この両方を用いてもよいし、どちらか一方を用いてもよい。しかし、オプティカルブラック部ＯＢ０１（ＯＢ０２）を複数設ける代わりに、各領域に設けずに１つで兼用することにより、焦点検出センサ１１７の長手方向の面積を小さくできるため、小型化が可能となる。
【００４３】
また、本実施形態では列毎オフセット補正値と領域毎オフセット補正値を焦点検出センサ１１７内の情報からリアルタイムに算出する構成としたが、２つの補正値の両方、もしくはどちらか一方に事前に記憶しておいた値を用いてもよい。
【００４４】
また、本実施形態ではオプティカルブラック部ＯＢ１，ＯＢ２，ＯＢ３を行方向に配置したが、列方向に配置してもよい。
【００４５】
（他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【００４６】
発明は上記実施形態に制限されるものではなく、発明の精神及び範囲から離脱することなく、様々な変更及び変形が可能である。従って、発明の範囲を公にするために請求項を添付する。
【符号の説明】
【００４７】
１００：デジタルカメラ、１０１：カメラ本体、１０２：ＣＰＵ、１０３：メモリ、１０４：撮像素子、１１７：焦点検出センサ、１５０：レンズ、１５１：ＬＰＵ、１５２：レンズ群
【図１】
2020145555.tif 000003
【図２】
2020145555.tif 000004
【図３】
2020145555.tif 000005
【図４】
2020145555.tif 000006
【図５】
2020145555.tif 000007
【図６】
2020145555.tif 000008
【図７】
2020145555.tif 000009